(57)【要約】【課題】  目地の内側に目地材を容易に装着することができる目地材の施工方法を提供する。【解決手段】  目地材１０の目地蓋部１４を、目地材装着補助具３０を用いて幅方向に挟持する。次に、この状態で目地材装着補助具３０及び目地材１０を目地２２に対してその長さ方向における上端開口から挿入する。次に、目地材装着補助具３０を目地２２の外側開口から外側に抜き取ることにより、目地材１０の目地蓋部１４によって目地２２の外側開口が塞がれるように目地材を施工する。【選択図】      図１０
2007046246.tif 000002
【特許請求の範囲】
【請求項１】
目地蓋部を備えた目地材を、目地の内側に装着する目地材の施工方法であって、
前記目地材の目地蓋部を目地材装着補助具を用いて幅方向に挟持し、この状態で同目地材装着補助具及び同目地材を目地に対してその長さ方向における端部開口から挿入した後、同目地材装着補助具を同目地の外側開口から抜き取ることにより、前記目地蓋部によって同外側開口が塞がれるように目地材を施工することを特徴とする目地材の施工方法。
【請求項２】
前記目地材のシール部にはその長さ方向に延びる中空部を形成し、この中空部から空気を抜いて同シール部を収縮させた状態で挿入することを特徴とする請求項１に記載の目地材の施工方法。
【請求項３】
弾性を有する材料にて一体形成され、帯板状の基部と、同基部の片面において同基部の長手方向に沿って延びるとともに互いに平行に立設された帯板状の一対の挟持片とからなることを特徴とする目地材装着補助具。
【請求項４】
前記各挟持片の内側には、目地材の目地蓋部の縁辺に係合可能とされた係止部を一体形成したことを特徴とする請求項３に記載の目地材装着補助具。
【発明の詳細な説明】
【技術分野】
【０００１】
この発明は、建物の外壁等の目地に装着される目地材の施工方法、及び、同施工方法に用いられる目地材装着補助具に関するものである。
【背景技術】
【０００２】
従来、この種の目地材の施工方法としては、特許文献１，２に記載されているものがある。特許文献１には、図１５（ａ），（ｂ）に示すような、建物の外壁パネル５０間に形成された目地５１の外面側に配置されて同目地５１を覆う帯板状の表装部５２と、中空部５３を有するチューブ部５４と、表装部５２とチューブ部５４とを連結する基体部５５とからなる目地材５６の施工方法が開示されている。この施工方法では、先ず、一端を閉塞したチューブ部５４の他端側から中空部５３の空気を真空ポンプで抜いてチューブ部５４を収縮させた後、他端側を閉塞状態に維持する。次に、この状態の目地材５６を目地５１に対してその長さ方向に挿入する。このとき、チューブ部５４が収縮していることから、目地５１に対して目地材５６が容易に挿入される。次に、目地５１に挿入した目地材５６の中空部５３の他端側を開放し、中空部５３内に空気を導入させてチューブ部５４を元の形状に弾性復帰させる。すると、チューブ部５４により目地５１の内側がシールされるとともに、表装部５２により目地５１が塞がれる。
【０００３】
また、特許文献２には、図１６（ａ），（ｂ）に示すような、目地５１の外側に配置される目地蓋部６０と、目地５１の内側に配置される挿入部６１とからなる目地材６２の施工方法が開示されている。この施工方法では、先ず、挿入部６１の末端に設けられた係合突起部６３に、取付治具６４の先端係止部６５を取り付けた後、取付治具６４を目地材６２とともに目地５１の外側開口からその内側に入れ込む。すると、目地材６２が、目地５１に沿ってその表面側に配置されるとともに、取付治具６４の柄部６６が外壁パネル５０の内面側に配置される。次に、取付治具６４の柄部６６を外壁パネル５０の内側に向かって引くことにより、目地材６２の挿入部６１を目地５１内に引き込むとともに目地蓋部６０を外壁パネル５０の表面に密接させる。すると、挿入部６１により目地５１の内側がシールされるとともに、目地蓋部６０により目地５１が塞がれる。
【０００４】
上記特許文献１，２の施工方法に用いられている目地材５６，６２は、表装部５２あるいは目地蓋部６０が外壁パネル５０の小口間の外側に配置されるタイプである。目地材としては、このタイプ以外に、例えば特許文献３に記載されているように、外壁パネル５０の小口間に配置される目地蓋部を備えたものも存在する。
【特許文献１】特開平８−７４３４０号公報
【特許文献２】特開平８−２３２３５７号公報
【特許文献３】特開平９−２５６４９８号公報
【発明の開示】
【発明が解決しようとする課題】
【０００５】
ところで、特許文献３のタイプの目地材は、特許文献１のタイプの目地材と異なり、目地蓋部が目地５１の左右両内壁に密接するようになっている。このため、特許文献１の目地材５６のように、目地５１に対してその長さ方向に挿入することはできない。
【０００６】
また、特許文献３のタイプの目地材を、特許文献２に記載されているように、予め装着した取付治具６４とともに目地５１の内側に入れ込もうとしても、目地蓋部が目地５１の開口部に係止されず、目地材の位置決めができない。このため、特許文献３のタイプの目地材は、特許文献２に記載されているような取付方法を用いて目地５１に装着することはできない。従って、特許文献３のタイプの目地材については、目地５１に対して容易に施工することができないという問題があった。
【０００７】
この発明の目的は、目地の内側に目地材を容易に装着することができる目地材の施工方法、及び、同目地材の施工方法に使用する目地材装着補助具を提供することにある。
【課題を解決するための手段】
【０００８】
上記目的を達成するため、請求項１に記載の発明は、目地蓋部を備えた目地材を、目地の内側に装着する目地材の施工方法であって、前記目地材の目地蓋部を目地材装着補助具を用いて幅方向に挟持し、この状態で同目地材装着補助具及び同目地材を目地に対してその長さ方向における端部開口から挿入した後、同目地材装着補助具を同目地の外側開口から抜き取ることにより、前記目地蓋部によって同外側開口が塞がれるように目地材を施工することを特徴とする。
【０００９】
請求項２に記載の発明は、請求項１に記載の発明において、前記目地材のシール部にはその長さ方向に延びる中空部を形成し、この中空部から空気を抜いて同シール部を収縮させた状態で挿入することを特徴とする。
【００１０】
請求項３に記載の発明は、弾性を有する材料にて一体形成され、帯板状の基部と、同基部の片面において同基部の長手方向に沿って延びるとともに互いに平行に立設された帯板状の一対の挟持片とからなることを特徴とする。
【００１１】
請求項４に記載の発明は、請求項３に記載の発明において、前記各挟持片の内側には、目地材の目地蓋部の縁辺に係合可能とされた係止部を一体形成したことを特徴とする。
【発明の効果】
【００１２】
本発明によれば、目地材装着補助具によって目地材の目地蓋部を幅方向に挟持することにより、目地蓋部と目地の内側との間に大きな摩擦抵抗を生じさせることなく、目地材を目地に対しその長さ方向における端部開口から挿入することができる。その後、目地の外側開口を通じて目地材装着補助具を目地の外側に抜き取ると、挟持状態から解放された目地材の目地蓋部により目地の外側開口が塞がれる。従って、例えば外壁パネルの小口間に装着される目地材を容易に施工することができる。
【００１３】
また、シール部にはその長さ方向に延びる中空部を形成し、この中空部から空気を抜いて同シール部を収縮させた状態で、目地材を目地に対してその長さ方向における端部開口から目地材装着補助具とともに挿入する。このため、目地材を目地に挿入するときに、シール部と目地の内側との間に大きな摩擦抵抗が生じないので、目地材を目地内に対してより一層容易に挿入することができる。
【発明を実施するための最良の形態】
【００１４】
（第１実施形態）
次に、本発明を具体化した第１実施形態を図１〜図１１に従って説明する。
図１、図２、図３及び図４に示すように、この実施形態の目地材１０は、同一断面形状を有する長尺状をなし、例えば施工時において必要な長さに切断される。なお、目地材１０は、二種類のゴムを同時押出成形（いわゆる二色成形）することにより一体形成されている。以下、目地材１０の左右は、図１及び図２に示す目地材１０における左右をいうものとする。目地材１０は、帯板状の芯部１１を有し、この芯部１１の高さ方向（図１における上下方向）における一方の側には、左右一対の中空シール部１２を有している。中空シール部１２は、芯部１１から左右両側に延出するとともに芯部１１側に大きく湾曲した形状を有し、その内側にはそれぞれ中空部１３を有している。また、目地材１０は、芯部１１の高さ方向における他方の側に目地蓋部１４を有している。目地蓋部１４は、芯部１１から左右両側に延出するように形成され、その表側部は意匠層１５となっている。意匠層１５は、目地材１０が施工される外壁の色に合わせて着色される。なお、目地材１０における意匠層１５を除く部位は、例えばエチレン−プロピレン−ジエン共重合ゴム（ＥＰＤＭ）により形成され、意匠層１５は、例えばクロロスルフォン化ポリエチレン（ＣＳＭ）、あるいは、塩素化ポリエチレン（ＣＰＥ）によって形成されている。
【００１５】
上記の目地材１０は、図１１に示すように、例えば鉄骨フレーム２０の外側において横方向に並べられた隣り合う両外壁パネル２１間の目地２２に装着される。この目地２２は鉛直方向に延びており、上記目地材１０の中空シール部１２を収容するための切欠き部２３を各外壁パネル２１の内面側に備えている。
【００１６】
次に、上記目地材１０を前記目地２２に装着するために用いられる目地材装着補助具３０について説明する。図５、図６、図７及び図８に示すように、目地材装着補助具３０は、断面略Ｔ字形の長尺状をなし、目地材１０を装着する目地２２の長さに応じた長さを有している。すなわち、目地材装着補助具３０は、帯板状の基部３１を備え、同基部３１の片面には、基部３１の長手方向に沿って延びるとともに互いに平行な左右一対の帯板状の挟持片３２が立設されている。目地材装着補助具３０は、例えばある程度の剛性及び弾性を有する塩化ビニル樹脂、アルミニウム合金等からなり、押出成形により一体形成されている。
【００１７】
さて、前記目地２２に対し上記目地材装着補助具３０を用いて目地材１０を施工するには、まず、目地材１０を目地２２の長さに応じて切断し、その一端において両中空部１３を例えば栓により塞ぐ。次に、図９に示すように、目地材１０の目地蓋部１４を目地材装着補助具３０の両挟持片３２の間に嵌入させ、両挟持片３２で幅方向に弾性的に挟持させる。このとき、目地蓋部１４の両縁辺を、目地材装着補助具３０の基部３１側に湾曲させた状態で両挟持片３２間に嵌入させる。すると、目地材１０は、目地材装着補助具３０の剛性により両挟持片３２間に挟持状態で保持される。次に、目地材１０の他端側から両中空部１３の空気を真空ポンプで抜き、両中空シール部１２を収縮させた後、目地材１０の他端側を閉塞状態に維持する。
【００１８】
次に、目地材装着補助具３０に保持された状態の目地材１０を、外壁パネル２１の上方から目地２２に対しその上端開口（端部開口）を通じて下向きに挿入する。このとき、両中空シール部１２が収縮しており、また、目地蓋部１４が目地材装着補助具３０により挟持されていることから、目地材１０と目地２２の内側との間に大きな摩擦抵抗が生じることはない。このため、目地材１０は、目地２２内に容易に挿入される。この結果、目地材１０は、図１０に示すように、目地材装着補助具３０に保持されたままの状態で目地２２内に配置される。
【００１９】
次に、目地材１０の他端を開放して両中空部１３に空気を導入させ、両中空シール部１２を元の形状に弾性復帰させる。すると、両中空シール部１２は、目地２２の切欠き部２３内において外壁パネル２１の内側面と鉄骨フレーム２０の外側面とにそれぞれ弾性的に密接する。
【００２０】
最後に、外壁パネル２１の外側において目地材装着補助具３０の基部３１を把持し、図１０に矢印で示すように、目地材装着補助具３０を目地２２の外側開口から外側に抜き取る。すると、図１１に示すように、両挟持片３２間に挟持されなくなった目地蓋部１４が元の形状に弾性復帰し、その両縁辺が目地２２の内側に対して弾性的に密接する。このとき、目地蓋部１４の両縁辺が両挟持片３２間において基部３１側に湾曲した状態で挟持されているので、両挟持片３２が外れた目地蓋部１４の両縁辺は、目地２２の外側開口側に湾曲した状態で目地２２の内側に密接する。このため、目地２２の内側に対して目地蓋部１４の両縁辺が正しい状態で密接する。
【００２１】
そして、目地２２内に装着された目地材１０の目地蓋部１４により、外壁パネル２１の外側から内側に雨水等の水が侵入することが防止される。さらに、万が一、目地蓋部１４と目地２２の内側との間を通じて鉄骨フレーム２０側に侵入した水は、切欠き部２３内において外壁パネル２１と鉄骨フレーム２０とに密接する中空シール部１２によって遮断され、鉄骨フレーム２０側への侵入が防止される。
【００２２】
従って、この実施形態の目地材１０の目地２２への施工方法では、目地材１０の目地蓋部１４を目地材装着補助具３０により挟持し、この状態の目地材１０を目地２２に対しその長手方向における上端開口から挿入する。その後、目地材１０の外側開口を通じて目地材装着補助具３０を目地蓋部１４から取り外すようにした。従って、目地２２の内側に配置される目地蓋部１４を有する目地材１０を、目地２２に対して容易に装着することができる。なお、この実施形態では、目地材１０を、横方向に隣り合う両外壁パネル２１間において鉛直方向に延びる目地２２に装着する場合について説明したが、上下に隣り合う両外壁パネル２１間において水平方向に延びる目地２２に装着する場合についても同様の効果が得られることは勿論である。
【００２３】
また、中空シール部１２の中空部１３から空気を抜いて中空シール部１２を収縮させた状態で、目地材１０を目地２２に装着するので、中空シール部１２と外壁パネル２１や鉄骨フレーム２０との間に大きな摩擦抵抗が生じない。このため、目地材１０を目地２２に対してより一層容易に装着することができる。
【００２４】
（第２実施形態）
次に、この発明を具体化した第２実施形態を図１２〜図１４に従って説明する。なお、この実施形態は、前記第１実施形態における目地材装着補助具３０の構成のみが異なるだけであるので、第１実施形態と同じ構成については符号を同じにしてその説明を省略する。
【００２５】
図１２に示すように、この実施形態の目地材装着補助具３０は、前記第１実施形態の目地材装着補助具３０の構成に加え、各挟持片３２の内側面上に係止部３３をそれぞれ一体に備えている。各係止部３３は、挟持片３２の基端側に近くなるほど高くなるように挟持片３２の内側面に対して傾斜した先端側斜面３３ａと、この先端側斜面３３ａに続くとともに挟持片３２の基端側に近くなるほど低くなるように傾斜した基端側斜面３３ｂとを備えている。基端側斜面３３ｂは、先端側斜面３３ａよりも大きく傾斜している。
【００２６】
さて、前記目地２２に対し上記目地材装着補助具３０を用いて前記目地材１０を施工するには、まず、所定長さに切断された目地材１０の目地蓋部１４を、目地材装着補助具３０の両挟持片３２で挟む。このとき、両挟持片３２の先端を目地蓋部１４の表側に押し付ける。すると、目地蓋部１４の両縁辺は、各挟持片３２の係止部３３の先端側斜面３３ａにより基部３１とは反対側に向かって弾性的に湾曲される。さらに両挟持片３２を目地材１０に押し付けると、図１２に示すように、目地蓋部１４の両縁辺が係止部３３の先端側斜面３３ａを乗り越えて基部３１側に移動する。そして、目地材１０は、目地材装着補助具３０の剛性により両挟持片３２の間に保持される。この目地材１０を、前記第１実施形態と同様にして、図１３に示すように、外壁パネル２１の上方から目地２２に対しその上端開口（端部開口）を通じて下向きに挿入する。そして、目地２２に挿入された目地材１０の両中空部１３に空気を導入させて元の形状に復帰させることにより、目地２２の切欠き部２３内において両中空シール部１２を外壁パネル２１の内側面と鉄骨フレーム２０の外側面とにそれぞれ密接させる。
【００２７】
最後に、外壁パネル５０の外側で基部３１を把持して目地材装着補助具３０を目地２２の外側開口から外側に抜き取る。このとき、目地材１０の目地蓋部１４の各縁辺が、各係止部３３の基端側斜面３３ｂにそれぞれ係合する。そして、目地材装着補助具３０が目地２２から抜き取られることにより、図１４に示すように、目地蓋部１４の両縁辺が基部３１と反対側に向かって湾曲した状態から基部３１側に向かって湾曲した状態に反転する。そして、両挟持片３２が目地蓋部１４の両縁辺から外れると、図１１に示すように、目地蓋部１４の両縁辺は、目地２２の外側開口側に向いた状態で目地２２の内側に対し弾性的に密接する。
【００２８】
従って、この実施形態の目地材装着補助具３０によれば、目地２２に装着する前の目地材１０の目地蓋部１４を目地材装着補助具３０で挟持するときには、目地蓋部１４の両縁辺が基部３１とは反対側に向かって湾曲した状態となる。ところが、目地２２内に装着した目地材１０から目地材装着補助具３０を外すときには、両挟持片３２の内側に設けられた係止部３３により目地蓋部１４の両縁辺の湾曲方向が基部３１側に反転する。このため、前記第１実施形態の目地材装着補助具３０とは異なり、目地蓋部１４の両縁辺を基部３１側に湾曲させた状態で両挟持片３２間に挟持させる必要がない。従って、目地材１０への目地材装着補助具３０の装着が容易となり、目地材１０の施工が一層容易となる。
【００２９】
なお、この実施形態は、次のように変更して具体化することもできる。
・  目地材１０の芯部１１の高さをより高くして目地蓋部１４と中空シール部１２との間の距離を大きくする。そして、目地蓋部１４と中空シール部１２との間に、左右に突出する一対のヒレ状のシール部を設けた構成とする。このシール部を、目地蓋部１４とともに目地２２の内側に密接させる。この場合、目地２２への装着時には、目地材装着補助具３０により、同シール部を目地蓋部１４とともに挟持する。
【００３０】
・  目地材装着補助具３０の両挟持片３２の片方を、基部３１に対して蝶番を介して支持した構成とする。そして、目地材装着補助具３０を目地材１０に装着するときには、蝶番によりこの挟持片３２を基部３１に対し外側に倒した状態で、もう一方の挟持片３２の内側面に目地蓋部１４の両縁端の一方を当接させる。次に、倒した状態の挟持片３２を起こすことにより、両挟持片３２の間に目地蓋部１４を挟む。最後に、目地蓋部１４を挟持した状態の両挟持片３２の端部を、例えばコ字形状の固定具によって挟持することにより、両挟持片３２の間に目地蓋部１４を挟持させる。この場合には、両挟持片３２の間に、両縁辺を基部３１側に折り曲げた状態の目地蓋部１４を容易に挟持させることができる。
【００３１】
・  目地材１０を、熱可塑性エラストマーから形成する。
・  目地材１０を、室内壁の目地用とする。
【図面の簡単な説明】
【００３２】
【図１】第１実施形態の目地材を示す平面図。
【図２】同じく平断面図。
【図３】（ａ）は、目地材を示す正面図、（ｂ）は、同じく背面図。
【図４】（ａ）は、目地材を示す右側面図、（ｂ）は、同じく斜視図。
【図５】目地材装着補助具を示す平面図。
【図６】目地材装着補助具を示す平断面図。
【図７】（ａ）は、目地材装着補助具を示す正面図、（ｂ）は、同じく背面図。
【図８】（ａ）は、目地材装着補助具を示す右側面図、（ｂ）は、同じく斜視図。
【図９】目地材を挟持した目地材装着補助具を示す平断面図。
【図１０】目地材装着補助具とともに目地へ挿入された目地材を示す平断面図。
【図１１】目地材装着補助具が外されるときの目地材を示す平断面図。
【図１２】第２実施形態における目地材装着補助具を示す平断面図。
【図１３】目地材装着補助具とともに目地へ挿入された目地材を示す平断面図。
【図１４】目地材装着補助具が外された目地材を示す平断面図。
【図１５】（ａ），（ｂ）は従来の目地材を示す平断面図。
【図１６】（ａ），（ｂ）は従来の目地材を示す平断面図。
【符号の説明】
【００３３】
１０…目地材、１２…シール部としての中空シール部、１３…中空部、１４…目地蓋部、２２…目地、３０…目地材装着補助具、３１…基部、３２…挟持片、３３…係止部。
【図１】
2007046246.tif 000003
【図２】
2007046246.tif 000004
【図３】
2007046246.tif 000005
【図４】
2007046246.tif 000006
【図５】
2007046246.tif 000007
【図６】
2007046246.tif 000008
【図７】
2007046246.tif 000009
【図８】
2007046246.tif 000010
【図９】
2007046246.tif 000011
【図１０】
2007046246.tif 000012
【図１１】
2007046246.tif 000013
【図１２】
2007046246.tif 000014
【図１３】
2007046246.tif 000015
【図１４】
2007046246.tif 000016
【図１５】
2007046246.tif 000017
【図１６】
2007046246.tif 000018